(57)【要約】【課題】  ボイラの起動又は停止ごとにボイラの設置場所まで出向く手間をなくし、省力化を図る。【解決手段】  ボイラの起動信号又は停止信号を送信するプログラムを書き込んだ携帯電話８、携帯電話８からの起動信号を受信した場合にはボイラを起動する指令を出力し、携帯電話８からの停止信号を受信した場合にはボイラを停止する指令を出力するボイラ運転制御装置１０、ボイラ運転制御装置１０からの指令に基づいて運転を行うボイラ１からなり、携帯電話８から信号を送ることでボイラ１の発停を制御することを特徴とする携帯電話による遠隔操作を可能としたボイラシステム。【選択図】図１
2005055082.tif 000002
【特許請求の範囲】
【請求項１】
ボイラの起動信号又は停止信号を送信するプログラムを書き込んだ携帯電話、携帯電話からの起動信号を受信した場合にはボイラを起動する指令を出力し、携帯電話からの停止信号を受信した場合にはボイラを停止する指令を出力するボイラ運転制御装置、ボイラ運転制御装置からの指令に基づいて運転を行うボイラからなり、携帯電話から信号を送ることでボイラの発停を制御することを特徴とする携帯電話による遠隔操作を可能としたボイラシステム。
【請求項２】
請求項１に記載の携帯電話による遠隔操作を可能としたボイラシステムにおいて、燃料油を供給するオイルポンプと燃焼用空気を供給する送風機を単一のモータで回転させるものであって、燃料油は燃料供給配管を通してオイルポンプへ送り、オイルポンプで加圧してボイラの燃焼装置へ供給するようにしたボイラとしておき、携帯電話からボイラの起動信号を受信したボイラ運転制御装置は、先にオイルポンプよりも上流側に設けている燃料元弁を開く制御を行い、その後に送風機及びオイルポンプ兼用のモータを作動する制御を行うものであることを特徴とする携帯電話による遠隔操作を可能としたボイラシステム。
【請求項３】
請求項１又は２に記載の携帯電話による遠隔操作を可能としたボイラシステムにおいて、携帯電話には、ボイラの起動予約信号又は停止予約信号と、予約時刻を送信するプログラムを書き込んでおき、ボイラ運転制御装置が起動予約信号を受信した場合は、予約時刻に到達した時点でボイラを起動する指令を出力し、ボイラ運転制御装置が停止予約信号を受信した場合は、予約時刻に到達した時点でボイラを停止する指令を出力する制御を行うことを特徴とする携帯電話による遠隔操作を可能としたボイラシステム。
【請求項４】
請求項１から３のいずれかに記載の携帯電話による遠隔操作を可能としたボイラシステムにおいて、ボイラ運転制御装置は、携帯電話から信号を受信する場合、あらかじめ設定しておいた暗証番号の入力がなければ信号を受け付けないようにしていることを特徴とする携帯電話による遠隔操作を可能としたボイラシステム。
【請求項５】
請求項１から４のいずれかに記載の携帯電話による遠隔操作を可能としたボイラシステムにおいて、ボイラ運転制御装置にはボイラの運転情報を携帯電話へ送信する機能を設け、携帯電話にはボイラ運転制御装置からの運転情報を受信して出力する機能を設けておき、携帯電話によってボイラシステムの遠隔監視および／またはボイラシステムの警報受信を可能としたことを特徴とする携帯電話による遠隔操作を可能としたボイラシステム。
【発明の詳細な説明】
【技術分野】
【０００１】
本発明は携帯電話による遠隔操作を可能としたボイラシステムに関するものである。
【背景技術】
【０００２】
ボイラの起動や停止は、ボイラに設置しているボイラ制御盤の運転スイッチを操作することで行っている。遠隔制御を行うことのできるボイラでも、ボイラと有線で接続したリモコンを設けておき、リモコンの運転スイッチを操作することで行っている。そのため、ボイラを起動したり停止する場合には、ボイラの設置場所又はリモコンの設置場所まで出向いて運転スイッチの操作を行う必要があった。
【０００３】
また、ボイラを燃焼する場合、燃焼には燃焼用空気と燃料を供給する必要があるため、燃焼用空気供給用の送風機と燃料供給用のオイルポンプを設置している。ボイラが燃焼を行っている場合には送風機とオイルポンプを共に稼働させ、ボイラが運転を停止している場合には送風機とオイルポンプを共に停止するため、送風機とオイルポンプを共通のモータに連結しておき、１つのモータで送風機とオイルポンプの両方を駆動するようにすれば、モータ設置数を削減することができる。ただしこの場合、燃焼開始前に炉内を換気するために空気のみをボイラへ供給する際にもオイルポンプを作動することになる。オイルポンプが作動していても、オイルポンプと燃焼装置の間に燃焼用電磁弁を設けておき、燃焼用電磁弁を閉じておくことで燃焼装置へ燃料が供給されるということはないが、オイルポンプに対して燃料が送られるようになっていないとオイルポンプはエア噛みを起こすことになる。オイルポンプがエア噛みを起こすと、燃焼用電磁弁を開いてもボイラに対して十分な量の燃料を供給することができなくなったり、オイルポンプの故障を招くこともある。
【発明の開示】
【発明が解決しようとする課題】
【０００４】
本発明が解決しようとする課題は、ボイラの起動又は停止ごとにボイラの設置場所まで出向く手間をなくし、省力化を図ることにある。
【課題を解決するための手段】
【０００５】
請求項１に記載の発明は、ボイラの起動信号又は停止信号を送信するプログラムを書き込んだ携帯電話、携帯電話からの起動信号を受信した場合にはボイラを起動する指令を出力し、携帯電話からの停止信号を受信した場合にはボイラを停止する指令を出力するボイラ運転制御装置、ボイラ運転制御装置からの指令に基づいて運転を行うボイラからなり、携帯電話から信号を送ることでボイラの発停を制御することを特徴とする携帯電話による遠隔操作を可能としたボイラシステムである。
【０００６】
請求項２に記載の発明は、前記の携帯電話による遠隔操作を可能としたボイラシステムにおいて、燃料油を供給するオイルポンプと燃焼用空気を供給する送風機を単一のモータで回転させるものであって、燃料油は燃料供給配管を通してオイルポンプへ送り、オイルポンプで加圧してボイラの燃焼装置へ供給するようにしたボイラとしておき、携帯電話からボイラの起動信号を受信したボイラ運転制御装置は、先にオイルポンプよりも上流側に設けている燃料元弁を開く制御を行い、その後に送風機及びオイルポンプ兼用のモータを作動する制御を行うものである。
【０００７】
請求項３に記載の発明は、前記の携帯電話による遠隔操作を可能としたボイラシステムにおいて、携帯電話には、ボイラの起動予約信号又は停止予約信号と、予約時刻を送信するプログラムを書き込んでおき、ボイラ運転制御装置が起動予約信号を受信した場合は、予約時刻に到達した時点でボイラを起動する指令を出力し、ボイラ運転制御装置が停止予約信号を受信した場合は、予約時刻に到達した時点でボイラを停止する指令を出力する制御を行う。
【０００８】
請求項４に記載の発明は、前記の携帯電話による遠隔操作を可能としたボイラシステムにおいて、ボイラ運転制御装置は、携帯電話から信号を受信する場合、あらかじめ設定しておいた暗証番号の入力がなければ信号を受け付けないようにしている。
【０００９】
請求項５に記載の発明は、前記の携帯電話による遠隔操作を可能としたボイラシステムにおいて、ボイラ運転制御装置にはボイラの運転情報を携帯電話へ送信する機能を設け、携帯電話にはボイラ運転制御装置からの運転情報を受信して出力する機能を設けておき、携帯電話によってボイラシステムの遠隔監視および／またはボイラシステムの警報受信を行う。
【発明の効果】
【００１０】
本発明を実施することで、オイルポンプにエア噛みが発生することがなく、ボイラ設置場所まで出向かなくてもボイラの起動又は停止を行うことができるため、省力化を図ることができるという利点がある。
【実施例】
【００１１】
図１は、本発明を実施しているボイラの概要図である。ボイラ１は、上面に燃焼装置２やボイラ運転制御装置１０等を設けている略円筒状の形状である。ボイラ１の上面中央部に燃焼装置２を設け、燃焼装置２に接続させて送風機６を設ける。送風機６にはモータ５を接続しており、モータ５は送風機６の反対側に設けているオイルポンプ７とも接続している。モータ５は送風機６とオイルポンプ７の両方を稼働するためのものであるため、送風機６のみの稼働が必要な場合であってもモータ５を作動すればオイルポンプ７も稼働することになる。オイルポンプ７には燃料供給配管３を接続しており、燃料供給配管３のオイルポンプ７よりも上流側に燃料元弁４、オイルポンプ７と燃焼装置２を結ぶ燃料供給配管に燃焼用電磁弁９を設ける。ボイラの運転はボイラ運転制御装置１０によって行い、ボイラ運転制御装置１０は、燃焼装置２、燃料元弁４、モータ５、燃焼用電磁弁９と接続しておき、それぞれの作動を制御する。
【００１２】
ボイラ運転制御装置１０には運転スイッチを設けておくが、ボイラ運転制御装置１０の運転スイッチを操作せずとも携帯電話８によって起動・停止の遠隔制御を行うことができるように、ボイラ運転制御装置１０には携帯電話８からの信号を受信する機能を組み込んでおく。ボイラの遠隔操作を行う携帯電話８には、ボイラ運転制御装置１０に対して、起動信号、停止信号、起動予約信号、停止予約信号、予約時刻、暗証番号等を送信するプログラムを書き込んでおく。また、ボイラ運転制御装置１０には、ボイラの運転情報を携帯電話８へ送信する機能、携帯電話８にはボイラ運転制御装置１０に対して運転情報読み出し信号を送信し、ボイラ運転制御装置１０からの運転情報を受信して出力する機能を設けておく。ボイラ運転制御装置１０は、携帯電話８からの運転情報読み出し信号を受けた場合や、ボイラに異常が発生した場合にボイラの運転情報を携帯電話８へ送信するようにしておく。
【００１３】
遠隔操作によってボイラの運転を開始する場合、操作者は携帯電話８の回線を通じてボイラ運転制御装置１０を呼び出し、あらかじめ設定しておいた暗証番号と起動信号をボイラ運転制御装置１０へ送信する。ボイラ運転制御装置１０は、設定しておいた暗証番号と携帯電話８から送られてきた暗証番号を照合し、暗証番号が正しければ起動信号を受け付ける。起動信号を受け付けたボイラ運転制御装置１０は、先に燃料元弁４を開く制御を行い、その後にモータ５を作動する制御を行う。ボイラの燃焼を開始する場合は、炉内の換気を行った後で着火するため、ボイラ運転制御装置１０は燃焼用電磁弁９を閉じた状態でモータ５を作動する。モータ５を作動すれば、送風機６及びオイルポンプ７が稼働するが、燃焼用電磁弁９を閉じているため、燃焼装置２へは燃焼用空気のみが送られる。一定時間の換気が終了すると、ボイラ運転制御装置１０は燃焼装置２に設けている着火装置（図示せず）を作動し、燃焼用電磁弁９を開くことで燃焼装置２へ燃料供給を行って燃焼を開始する。その後はボイラ運転制御装置１０によってボイラを自動運転し、蒸気の発生を行う。
【００１４】
遠隔操作によってボイラの運転を停止する場合、操作者は携帯電話８の回線を通じてボイラ運転制御装置１０を呼び出し、暗証番号と停止信号をボイラ運転制御装置１０へ送信する。ボイラ運転制御装置１０は暗証番号を照合して暗証番号が正しければ停止信号を受け付ける。この時にボイラが燃焼を行っていれば、ボイラ運転制御装置１０は燃焼用電磁弁９を閉じることで燃焼装置２への燃料供給を停止して燃焼を停止し、モータ５を停止することで送風機６及びオイルポンプ７を停止する。ボイラ運転制御装置１０はモータ５を停止した後で燃料元弁４を閉じる制御を行うことで、モータ５の作動中にオイルポンプ７への燃料供給が止まることがないようにする。なお、停止信号を受けた時点で燃焼を停止しており、モータ５を停止していた場合には、すぐに燃料元弁４を閉じる制御を行うことができる。
【００１５】
また、携帯電話８からボイラ運転制御装置１０へ送信する信号を起動予約信号又は停止予約信号とすることでタイマ予約を行うことができる。ボイラ運転制御装置１０には時計機能を設けておき、携帯電話８からボイラ運転制御装置１０へ起動予約信号又は停止予約信号と、予約時刻を送信すると、ボイラ運転制御装置１０は予約時刻に到達した時点で燃焼開始又は燃焼停止の指令を出力してボイラの燃焼又は停止を行う。なお、この場合もボイラ運転制御装置１０は暗証番号の照合を行って暗証番号が正しければ起動予約信号又は停止予約信号を受け付け、燃焼開始の場合は先に燃料元弁４を開きその後でモータ５を作動するようにし、燃焼停止の場合は先にモータ５を停止しその後で燃料元弁４を閉じる制御を行う。
【００１６】
燃焼を開始する場合、モータ５を作動するよりも先に燃料元弁４を開く制御を行うため、モータ５の作動を開始してオイルポンプ７が作動が作動し始める時点でオイルポンプ７への燃料供給が可能となっており、オイルポンプ７はエア噛みすることがない。燃焼を停止する場合も同様であり、モータ５の作動を停止した後で燃料元弁４を閉じる制御を行うため、モータ５の作動を停止するまでオイルポンプ７への燃料供給が可能となっており、オイルポンプ７はエア噛みすることがない。
【００１７】
また、携帯電話８でボイラ運転状態の監視や異常報知装置とすることもできる。ボイラ運転制御装置１０ではボイラの運転状態を検出しており、ボイラ運転制御装置１０の表示装置に現在の状況を運転情報として表示し、異常発生時には警報の出力も行うようにしている。携帯電話８からボイラ運転制御装置１０に対して運転情報読み出しの信号を送信すると、ボイラ運転制御装置１０はボイラの運転情報を携帯電話に向けて送信し、携帯電話８はボイラ運転制御装置１０から受信した運転情報を出力する。携帯電話８に運転情報を出力させることで、ボイラ運転制御装置１０の表示装置を見るためにボイラ設置場所まで出向かなくてもボイラの運転状態を監視することができる。ボイラに異常が発生したことをボイラ運転制御装置１０が検出すると、ボイラ運転制御装置１０は警報手段によって異常を報知するとともに、ボイラ運転制御装置１０から携帯電話８を呼び出し、携帯電話８にもボイラに異常が発生していることを報知するボイラの運転情報を送信し、携帯電話８で運転情報の出力を行う。ボイラの操作者は、ボイラから離れた場所にいても携帯電話８によって異常を知ることができ、異常に対して迅速な対応が行える。
【図面の簡単な説明】
【００１８】
【図１】本発明を実施しているボイラの概要図
【符号の説明】
【００１９】
１  ボイラ      
２  燃焼装置      
３  燃料供給配管        
４  燃料元弁      
５  モータ            
６  送風機        
７  オイルポンプ
８  携帯電話
９  燃焼用電磁弁
１０  ボイラ運転制御装置
【図１】
2005055082.tif 000003